(57)【要約】      （修正有）【課題】パッシブ光ネットワークの新たなトポロジをもって幾つかのサブネットワークに従って配置される全ての光ネットワークユニットによって使用されるアップリンクＴＤＭＡアクセスを調整する方法を提供する。【解決手段】パッシブ光ネットワーク（ＰＯＮ）は少なくとも、同じスプリッタ１４に相互接続される、第１の光ラインターミナル４と光ネットワークユニット８、１２から成る第１のサブネットワーク１６、及び第２の光ラインターミナル６と光ネットワークユニット８から成る第２のサブネットワーク１８を含む。光ラインターミナルから光ネットワークユニットへのダウンリンク方向において各サブネットワークは異なる波長λ１、λ２を使用し、アップリンク方向において全てのＯＮＵ８、１０、１２は１つの単一波長λ３を使用することによってアップリンクＴＤＭＡアクセスを通じて全ての光ラインターミナルにアクセスすることができる。【選択図】図１
2010081593.tif 000002
【特許請求の範囲】
【請求項１】
パッシブ光ネットワークの少なくとも２つのサブネットワーク（１６、１８）によって共有されるアップリンクＴＤＭＡアクセスを調整する方法であって、
第１の前記サブネットワーク（１６）は、
第１の光ラインターミナル（４）と、
同じスプリッタ（１４）を通じて前記第１の光ラインターミナル（４）に接続される複数の光ネットワークユニット（８、１２）から成る第１のセットと
を備え、
第２のサブネットワーク（１８）は、
第２の光ラインターミナル（６）と、
前記第１のサブネットワーク（１６）によって使用されるのと同じ前記スプリッタ（１４）を通じて前記第２の光ラインターミナル（６）に接続される光ネットワークユニット（１０）から成る第２のセットと
を備え、
前記第１のサブネットワーク（４）に属する各前記光ネットワークユニット（８、１２）は、ダウンリンクにおいて同じ第１の波長（λ１）を共有し、
前記第２のサブネットワーク（１８）に属する各前記光ネットワークユニット（１０）は、ダウンリンクにおいて同じ第２の波長（λ２）を共有し、
前記第１の波長及び前記第２の波長は異なり、
前記第１のサブネットワーク（１６）及び前記第２のサブネットワーク（１８）の双方に属する各前記光ネットワークユニット（８、１０、１２）は、ダウンリンク方向において使用される同じアップリンク波長（λ３）を共有し、前記アップリンク波長（λ３）は前記第１の波長（λ１）及び前記第２の波長（λ２）とは異なり、
前記第１の光ラインターミナル（４）は、これと対応する前記第１のセットの前記光ネットワークユニット（８、１２）によって使用される、前記ＴＤＭＡアップリンクアクセスのための伝送資源を割り当てることができ、
前記第１の光ラインターミナル（４）は、
前記割り当てられた伝送資源に従って、かつ、
前記第１の光ラインターミナル（４）と、前記対応する第１のセットの光ネットワークユニット（８、１２）との間のラウンドトリップ伝播遅延に従って、
前記対応する光ネットワークユニット（８、１２）によって使用されるスロットのための、前記ＴＤＭＡアップリンクにおける伝送時間を規定することができ、
前記第２の光ラインターミナル（６）は、これと対応する前記第２のセットの前記光ネットワークユニット（１０）によって使用される、前記ＴＤＭＡアップリンクアクセスのための伝送資源を割り当てることができ、
前記第２の光ラインターミナル（６）は、
前記割り当てられた伝送資源に従って、かつ、
前記第２の光ラインターミナル（６）と、前記対応する第２のセットの光ネットワークユニット（１０）との間のラウンドトリップ伝播遅延に従って、
前記対応する光ネットワークユニット（１０）によって使用される前記スロットのための、ＴＤＭＡアップリンクにおける伝送時間を規定することができ、
前記方法は、各前記光ラインターミナル（４、６）が、全ての前記サブネットワーク（１６、１８）の全ての前記光ネットワークユニット（８、１０、１２）によって送信される全ての前記アップリンクシグナリングデータをリスンすること（１０２）から成る複数のステップを含む
方法において、
前記方法は、
全ての前記サブネットワークにわたって、全ての前記光ネットワークユニットの中から１つのマスタ光ネットワークユニットを決定すること（１０４）であって、前記マスタ光ネットワークユニットは、マスタ光ラインターミナルによって最初にリスン及び宣言される前記光ネットワークユニットであり、前記マスタ光ラインターミナルは、前記マスタ光ネットワークユニットに対応するマスタ光ラインターミナルであり、前記マスタ光ラインターミナルは、マスタ光ラインターミナルとして参照されるものである、１つのマスタ光ネットワークユニットを決定すること（１０４）と、
前記マスタ光ラインターミナルに関連するローカル時刻ｔ０ｂｉｓにおいて、前記マスタ光ネットワークユニットから、スレーブ光ラインターミナルとして参照される他の前記光ラインターミナルに、前記対応するマスタ光ラインターミナルに関連する同期情報を含むエコーされた同期メッセージを送信すること（１１２）と
から成る複数のステップを含むことを特徴とし、且つ
各前記光ラインターミナル（４、６）によるそれぞれの対応する前記光ネットワークユニットへのアップリンクＴＤＭＡ伝送資源の割当てプロセスは、全ての前記サブネットワーク（１６、１８）の全ての前記光ネットワークユニット（８、１０、１２）によって送信される同じ順序付けされた前記アップリングシグナリングデータを基に同じ方法で実行され、
前記光ラインターミナル（４、６）のそれぞれによる、
前記割り当てられた伝送資源に従って、及び、
前記光ラインターミナルと前記対応する光ネットワークユニットとの間のラウンドトリップ伝播遅延に従って、
前記光ラインターミナルの前記対応する光ネットワークユニットによって使用される前記スロットのための前記ＴＤＭＡアップリンクにおける前記伝送時間を規定するプロセス
は、同じプロセスである
ことを特徴とする、アップリンクＴＤＭＡアクセスを調整する方法。
【請求項２】
前記方法は、
前記マスタ光ネットワークユニットから他の前記光ラインターミナルに、前記対応するマスタ光ラインターミナルに関連する同期情報を含むエコーされたパケットを送信するステップ（１１２）の後に、
各前記スレーブ光ラインターミナルに関して、以下のことから成る複数のステップ、すなわち、
前記スレーブ光ラインターミナルのクロックによって提供されるそれぞれの傍受ローカル時刻ｔ３において、前記対応するマスタに関連する前記同期情報を含む前記エコーされた同期メッセージを傍受すること（１１４）、及び
現在のそれぞれの前記傍受ローカル時刻ｔ３を、前記同期情報から導出される同期時刻と現在の前記ローカル時刻ｔ３との間の時間差によって変換すること（１１６）であって、それによって、前記スレーブ光ラインターミナルそれぞれの新たなローカル時刻を取得し、それによって、新たな変換された前記ローカル時刻の所与の時刻にアップリンクで傍受される全てのメッセージは、前記マスタ光ラインターミナルの前記クロックによっても同時刻に見ることができる、変換すること（１１６）、
から成る複数のステップを含むことを特徴とする、請求項１に記載の方法。
【請求項３】
前記方法は、前記マスタ光ネットワークユニットレベルにおいて、前記マスタ光ラインターミナルと前記マスタ光ネットワークユニットとの間の伝播ラウンドトリップ時間（ＲＴＴ０）を計算することによって、前記マスタ光ラインターミナルに対し前記マスタ光ネットワークユニットをレンジングすること（１０８）からなるステップを含み、
前記マスタ光ネットワークユニットのレンジングは、前記同期情報を送信するステップの前に実行され、
前記対応するマスタ光ラインターミナルに関連する前記同期情報は、
レンジングパケットを送信する、前記マスタ光ラインターミナルに関連する前記ローカル時刻情報ｔ０ｂｉｓと、
前記計算されたレンジングデータ（ＲＴＴ０）と
を含むことを特徴とする、請求項１又は２に記載の方法。
【請求項４】
前記同期時刻は、
レンジングパケットを送信する、前記マスタ光ラインターミナルに関連する前記ローカル時刻情報ｔ０ｂｉｓと、
前記計算されたレンジングデータ（ＲＴＴ０）と
の和であることを特徴とする、請求項３に記載の方法。
【請求項５】
前記マスタ光ラインターミナルに対し前記マスタ光ネットワークユニットをレンジングするステップ（１０８）は、以下のことからなる複数のステップ、すなわち、
前記マスタ光ラインターミナルから、前記マスタＯＬＴに関連するローカル時刻ｔ０において、前記ローカル時刻情報ｔ０を含むエコーレンジングメッセージを送信すること（１２４）、
前記マスタ光ネットワークユニットによってｔ０を含む前記レンジングメッセージが受信されると、前記マスタ光ネットワークユニットのクロックをｔ０にセットすることによって前記クロックを同期された時刻に同期すること（１２６）、
前記マスタ光ネットワークユニットクロックの前記同期された時刻を基準として時刻ｔ１において、前記マスタ光ネットワークユニットから、前記同期されたローカル時刻情報ｔ１を含むレンジングメッセージを送信すること（１２８）、及び
前記マスタ光ラインターミナルによって、マスタ光ラインターミナルに関連するローカル時刻ｔ２において、前記時刻情報ｔ１を含む前記レンジングメッセージが受信されると、前記マスタ光ラインターミナルと前記マスタ光ネットワークユニットとの間の前記伝播ラウンドトリップ時間（ＲＴＴ０）を、ｔ２とｔ１との差として計算すること（１３０）
から成る複数のステップを含むことを特徴とする、請求項２に記載の方法。
【請求項６】
エコーされたメッセージを前記マスタ光ネットワークユニットから送信するステップ（１１２）中の前記ステップにおいて、前記エコーされた同期メッセージは、前記マスタ光ラインターミナルに関連付けられ前記マスタ光ラインターミナルによってレンジングされる前記光ネットワークユニットに関連する情報をさらに含むことを特徴とし、且つ、
前記方法は、前記スレーブ光ラインターミナルが、マスタＯＬＴに関連付けられる光ネットワークユニットからの現在の伝送資源値を複製すること（１１８）から成るステップを含むことを特徴とする、請求項２に記載の方法。
【請求項７】
全ての前記光ラインターミナルの前記クロックの変換（１１６）の後に、
各前記スレーブ光ラインターミナルに関して、対応する前記スレーブ光ラインターミナルに対するそれぞれの関連付けられるスレーブ光ネットワークユニットを、各前記スレーブ光ネットワークユニットに関する全ての伝送パラメータを用いて発見すること（１２０）から成るステップを含むことを特徴とする、請求項２に記載の方法。
【請求項８】
前記対応するスレーブ光ラインターミナルに関連付けられる前記スレーブ光ネットワークユニットを発見するステップ（１２０）は、以下のことから成る複数のステップ、すなわち、
前記スレーブ光ラインターミナルが、前記マスタ光ラインターミナルと同時に、全ての関連付けられるスレーブ光ネットワークユニットに対し、前記スレーブ光ラインターミナルの識別子を含む発見要求メッセージを送信すること（１４２）、並びに
前記スレーブ光ラインターミナルに対し、各前記スレーブ光ネットワークユニットをレンジングすること（１４４）
から成る複数のステップを含むことを特徴し、
前記レンジングすること（１４４）は、
前記スレーブ光ラインターミナルから、前記マスタＯＬＴに関連するローカル時刻ｔｓ０において、前記ローカル時刻情報ｔｓ０を含むレンジングメッセージを送信すること（１４６）、
前記スレーブ光ネットワークユニットによってｔｓ０を含む前記レンジングメッセージが受信されると、前記スレーブ光ネットワークユニットのクロックをｔｓ０にセットすることによって前記クロックを同期された時刻に同期すること（１４８）、
前記スレーブ光ネットワークユニットから、前記スレーブ光ネットワークユニットクロックの前記同期された時刻を基準として時刻ｔｓ１において、前記同期されたローカル時刻情報ｔｓ１及び前記スレーブ光ラインターミナルの識別子を含むレンジングメッセージを送信すること（１５０）、及び
前記対応するスレーブ光ラインターミナルによって前記マスタ光ラインターミナルに関連するローカル時刻ｔｓ２において前記時刻情報ｔｓ１を含む前記レンジングメッセージが受信されると、前記スレーブ光ラインターミナルと前記スレーブ光ネットワークユニットとの間の伝播ラウンドトリップ時間（ＲＴＴ１）を、ｔｓ２とｔ１との差として計算すること（１５２）、
によって行われる、請求項７に記載の方法。
【請求項９】
少なくとも２つのサブネットワークを含むパッシブ光ネットワーク（ＰＯＮ）であって、
第１の前記サブネットワーク（１６）は、
第１の光ラインターミナル（４）と、
同じスプリッタ（１４）を通じて前記第１の光ラインターミナル（４）に接続される複数の光ネットワークユニット（８、１２）から成る第１のセットと
を備え、
第２のサブネットワーク（１８）は、
第２の光ラインターミナル（６）と、
前記第１のサブネットワーク（１６）によって使用されるのと同じ前記スプリッタ（１４）を通じて前記第２の光ラインターミナル（６）に接続される光ネットワークユニット（１０）から成る第２のセットと
を備え、
前記第１のサブネットワーク（１６）に属する各前記光ネットワークユニット（８、１２）は、ダウンリンクにおいて同じ第１の波長（λ１）を共有し、
前記第２のサブネットワーク（１８）に属する各前記光ネットワークユニット（１０）は、ダウンリンクにおいて同じ第２の波長（λ２）を共有し、
前記第１の波長及び前記第２の波長は異なり、
前記第１のサブネットワーク（１６）及び前記第２のサブネットワーク（１８）の双方に属する各前記光ネットワークユニット（８、１０、１２）は、ダウンリンク方向において使用される同じアップリンク波長（λ３）を共有し、前記アップリンク波長（λ３）は前記第１の波長（λ１）及び前記第２の波長（λ２）とは異なり、
前記第１の光ラインターミナル（４）は、第１の動的伝送資源割当てユニット（６２）を有し、
前記第１の動的伝送資源割当てユニット（６２）は、前記第１のセットの対応する前記光ネットワークユニット（８、１２）によって使用される、ＴＤＭＡアップリンクアクセスのための伝送資源を割り当てることができ、
前記第１の光ラインターミナル（４）は、マルチポイント制御ユニット（６４）を有し、
前記マルチポイント制御ユニット（６４）は、
前記割り当てられた伝送資源に従って、及び
前記第１の光ラインターミナルと前記第１のセットの前記対応する光ネットワークユニット（８、１２）との間の計算されたラウンドトリップ伝播遅延に従って、
前記対応する光ネットワークユニット（８、１２）によって使用されるスロットのための前記ＴＤＭＡアップリンクにおける伝送時間を規定することができ、
前記第２の光ラインターミナル（６）は、第２の動的伝送資源割当てユニット（６２）を有し、
前記第２の動的伝送資源割当てユニット（６２）は、前記第２のセットの対応する前記光ネットワークユニット（１０）によって使用される、前記ＴＤＭＡアップリンクアクセスのための伝送資源を割り当てることができ、
前記第２の光ラインターミナル（６）は、マルチポイント制御ユニット（６４）を有し、
前記マルチポイント制御ユニット（６４）は、
前記割り当てられた伝送資源に従って、及び
前記第２の光ラインターミナル（６）と前記第２のセットの前記対応する光ネットワークユニット（１０）との間の計算されたラウンドトリップ伝播遅延に従って、
前記対応する光ネットワークユニット（１０）によって使用される前記スロットのための前記ＴＤＭＡアップリンクにおける伝送時間を規定することができる
パッシブ光ネットワークにおいて、
各前記光ラインターミナルは、光ラインターミナル手段（６６）を備え、
前記光ラインターミナル手段（６６）は、第１に、全ての前記サブネットワークにわたって、全ての前記光ネットワークユニットの中から、１つのマスタ光ネットワークユニットを決定することができるマスタ光ラインターミナルとして、アップリンクＴＤＭＡアクセスを調整し、
前記マスタ光ネットワークユニットは、マスタ光ラインターミナルとして参照される対応する前記マスタ光ラインターミナルによって、最初にリスン及び宣言されるＯＮＵであり、
各前記光ネットワークユニットは、光ネットワークユニット手段（６８）を備え、
前記光ネットワークユニット手段（６８）は、第１に、前記マスタ光ラインターミナルに関連するローカル時刻ｔ０ｂｉｓにおいて、スレーブ光ラインターミナルとして参照される他の前記光ラインターミナルに、前記対応するマスタ光ラインターミナルに関連する同期情報を含むエコーされた同期メッセージを送信する（１１２）ことができるマスタ光ネットワークユニットとして、アップリンクＴＤＭＡアクセスを調整し、
全ての前記動的伝送資源割当てユニット（６２）は同じ割当てプロセスを実行することができ、
全ての前記マルチポイント制御ユニット（６４）は同じ伝送時間規定プロセスを実行することができる
ことを特徴とする、パッシブ光ネットワーク。
【請求項１０】
アップリンクＴＤＭＡアクセスを調整する各前記光ラインターミナル手段は、第２に、スレーブ光ラインターミナルに対して、
前記マスタ光ネットワークユニットから前記対応するマスタ光ラインターミナルに関連する同期情報を含むエコーされたパケットを受信した後に、
前記スレーブ光ラインターミナルのクロックによって提供されるそれぞれの傍受ローカル時刻ｔｓ３において、前記対応するマスタ光ラインターミナルに関連する前記同期情報を含む前記エコーされた同期メッセージを傍受する（１１４）ことができ、かつ、
現在のそれぞれの前記傍受ローカル時刻ｔｓ３を、前記同期情報から導出される同期時刻と現在のローカル時刻ｔ３との間の時間差によって変換し、それによって、前記スレーブ光ラインターミナルそれぞれの新たなローカル時刻を取得することができ、それによって、新たな変換された前記ローカル時刻の所与の時刻にアップリンクで傍受される全てのメッセージを、前記マスタ光ラインターミナルの前記クロックによっても同時刻に見ることができるようになる
ことを特徴とする、請求項１に記載のパッシブ光ネットワーク（ＰＯＮ）。
【発明の詳細な説明】
【技術分野】
【０００１】
本発明は、パッシブ光ネットワーク（ＰＯＮ）の幾つかのネットワークによって共有される共通アップリンクＴＤＭＡアクセスを調整する方法及びそのような方法を実施するシステムに関する。
【背景技術】
【０００２】
パッシブ光ネットワーク（ＰＯＮ）は、光ネットワークのアクセス部の２つのアーキテクチャのうちの１つとして既知である。
【０００３】
パッシブ光ネットワーク（ＰＯＮ）アーキテクチャ（ポイント・ツー・マルチポイントアーキテクチャとも呼ばれる）によれば、従来のパッシブ光ネットワーク（ＰＯＮ）は、高速光ネットワーキングインフラストラクチャに属するスイッチに接続される光ラインターミナル（Optical Line Terminal）（ＯＬＴ）と、光スプリッタのセットとを備え、各光スプリッタは、その上流において、異なるそれぞれの専用ファイバを通じて光ラインターミナル（ＯＬＴ）に接続される。
【０００４】
パッシブ光ネットワークは、クラスタ内でグループ化される幾つかのユーザ端末（光ネットワークユニット（Optical Network Unit）（ＯＮＵ）とも呼ばれる）も備える。
【０００５】
各クラスタの複数の光ネットワークユニットは、光ラインターミナルから、スプリッタ（対応するクラスタにそれぞれ関連付けられる）まで、１本の同じファイバを共有する。
【０００６】
各クラスタの複数の光ネットワークユニット（ＯＮＵ）は、異なるそれぞれの専用ファイバを通じて、対応する光スプリッタに接続される。
【０００７】
パッシブ光ネットワークアーキテクチャでは、１つのクラスタの複数の光ネットワークユニットは、アップリンク（クラスタのスプリッタから光ラインターミナルへ）及びダウンリンク（光ラインターミナルからクラスタの光ネットワークユニットに関連付けられるスプリッタへ）の双方のために、ただ１本のファイバを共有するため、アップリンクデータ及びダウンリンクデータは、レーザの２つの異なる波長を使用して同時に伝送される。このようなダウンリンク／アップリンクアクセス方式は、波長複信接続（wavelength duplex access）と呼ばれる。
【０００８】
アップリンク方向では、クラスタの各ユーザに対してタイムスロットが繰り返し割り当てられ、そのタイムスロットにおいて、データの伝送が可能になる。
【０００９】
複数のタイムスロットが、衝突し得る同時伝送を避けるような方法で１つのフレームに構成される。光ネットワークユニットから光ラインターミナルまでのこのようなアップリンクアクセス方式は、時分割多元接続（ＴＤＭＡ）と呼ばれる。
【００１０】
同じファイバ内において幾つかの光波長を使用することが可能であることによって、近年、新たなタイプのレイアウトが提案されている。このレイアウトでは、光ネットワークユニットのセットが、アップリンク方向において、同じスプリッタを通じて少なくとも２つの光ラインターミナルを共有する。
【００１１】
そのようなレイアウトにおいて、同じスプリッタに接続される光ネットワークユニット（ＯＮＵ）は、幾つかのサブネットワークを共有するように配置される。サブネットワークは、１つの固有の（distinct）光ラインターミナルと、該光ラインターミナルに接続される対応する光ネットワークユニット（ＯＮＵ）とを備える。
【００１２】
各サブネットワークはダウンリンクにおいて固有の波長を使用し、それによって、いかなる光ラインターミナルからのいかなる送信パケットも、別の光ラインターミナルから該光ラインターミナルに関連付けられる光ネットワークユニットに送信されるパケットとのパケット衝突を一切引き起こさない。
【００１３】
全てのサブネットワークは、同じ波長を使用することによって、同じスプリッタを通じて共通アップリンクを使用しており、調整されたＴＤＭＡアクセスを通じてこの共通アップリンクアクセスを共有するように要求される。
【００１４】
各サブネットワークは、該サブネットワークの対応する光ネットワークユニットに関連する伝送資源及びレンジング情報の知識を取得することができる。これは、スロットを割り当てると共に、該サブネットワークの対応する光ネットワークユニットのアップリンクにおいてＴＤＭＡアクセスを同期するためである。
【００１５】
しかしながら、光ラインターミナル間では直接のリンクが一切利用可能でないため、それぞれ異なるサブネットワークに対応する各光ラインターミナルが、他のサブネットワークに対応する光ネットワークユニット（ＯＮＵ）に関連する伝送資源及びレンジング情報を知る方法は一切存在しない。
【００１６】
したがって、異なる光ラインターミナルは互いに同期することができず、アップリンクＴＤＭＡアクセスを、同じスプリッタに接続されると共に幾つかのサブネットワークに従って配置される全ての光ネットワークユニットに関して調整することができない。
【発明の概要】
【発明が解決しようとする課題】
【００１７】
技術的な問題は、パッシブ光ネットワークの新たなトポロジをもって、幾つかのサブネットワークに従って配置される全ての光ネットワークユニットによって使用されるアップリンクＴＤＭＡアクセスを調整する方法を決定することである。
【課題を解決するための手段】
【００１８】
したがって、本発明は、パッシブ光ネットワークの少なくとも２つのサブネットワークによって共有されるアップリンクＴＤＭＡアクセスに関し、
第１の前記サブネットワークは、
第１の光ラインターミナル、
同じスプリッタを通じて前記第１の光ラインターミナルに接続される複数の光ネットワークユニットから成る第１のセットと
を備え、
第２のサブネットワークは、
第２の光ラインターミナルと、
前記第１のサブネットワークによって使用されるのと同じ前記スプリッタを通じて前記第２の光ラインターミナルに接続される光ネットワークユニットから成る第２のセットと
を備え、
前記第１のサブネットワークに属する各前記光ネットワークユニットは、ダウンリンクにおいて同じ第１の波長を共有し、
前記第２のサブネットワークに属する各前記光ネットワークユニットは、ダウンリンクにおいて同じ第２の波長を共有し、
前記第１の波長及び前記第２の波長は異なり、
前記第１のサブネットワーク及び前記第２のサブネットワークの双方に属する各前記光ネットワークユニットは、ダウンリンク方向において使用される同じアップリンク波長を共有し、前記アップリンク波長は前記第１の波長及び前記第２の波長とは異なり、
前記第１の光ラインターミナルは、これと対応する前記第１のセットの前記光ネットワークユニットによって使用される、前記ＴＤＭＡアップリンクアクセスのための伝送資源を割り当てることができ、
前記第１の光ラインターミナルは、
前記割り当てられた伝送資源に従って、かつ、
前記第１の光ラインターミナルと、前記対応する第１のセットの光ネットワークユニットとの間のラウンドトリップ伝播遅延に従って、
前記対応する光ネットワークユニットによって使用されるスロットのための、前記ＴＤＭＡアップリンクにおける伝送時間を規定することができ、
前記第２の光ラインターミナルは、これと対応する前記第２のセットの前記光ネットワークユニットによって使用される、前記ＴＤＭＡアップリンクアクセスのための伝送資源を割り当てることができ、
前記第２の光ラインターミナルは、
前記割り当てられた伝送資源に従って、かつ、
前記第２の光ラインターミナルと、前記対応する第２のセットの光ネットワークユニットとの間のラウンドトリップ伝播遅延に従って、
前記対応する光ネットワークユニットによって使用される前記スロットのための、ＴＤＭＡアップリンクにおける伝送時間を規定することができ、
前記方法は、各前記光ラインターミナルが、全ての前記サブネットワークの全ての前記光ネットワークユニットによって送信される全ての前記アップリンクシグナリングデータをリスンすることから成る複数のステップを含む
方法において、
前記方法は、
全ての前記サブネットワークにわたって、全ての前記光ネットワークユニットの中から１つのマスタ光ネットワークユニットを決定することであって、前記マスタ光ネットワークユニットは、マスタ光ラインターミナルによって最初にリスン及び宣言される前記光ネットワークユニットであり、前記マスタ光ラインターミナルは、前記マスタ光ネットワークユニットに対応するマスタ光ラインターミナルであり、前記マスタ光ラインターミナルは、マスタ光ラインターミナルとして参照されるものである、１つのマスタ光ネットワークユニットを決定することと、
前記マスタ光ラインターミナルに関連するローカル時刻ｔ０ｂｉｓにおいて、前記マスタ光ネットワークユニットから、スレーブ光ラインターミナルとして参照される他の前記光ラインターミナルに、前記対応するマスタ光ラインターミナルに関連する同期情報を含むエコーされた同期メッセージを送信することと
から成る複数のステップを含むことを特徴とし、且つ
各前記光ラインターミナルによるそれぞれの対応する前記光ネットワークユニットへのアップリンクＴＤＭＡ伝送資源の割当てプロセスは、全ての前記サブネットワークの全ての前記光ネットワークユニットによって送信される同じ順序付けされた前記アップリングシグナリングデータを基に同じ方法で実行され、
前記光ラインターミナルのそれぞれによる、
前記割り当てられた伝送資源に従って、及び、
前記光ラインターミナルと前記対応する光ネットワークユニットとの間のラウンドトリップ伝播遅延に従って、
前記光ラインターミナルの前記対応する光ネットワークユニットによって使用される前記スロットのための前記ＴＤＭＡアップリンクにおける前記伝送時間を規定するプロセス
は、同じプロセスである
ことを特徴とする、アップリンクＴＤＭＡアクセスを調整する方法。
【００１９】
特定の実施の形態によれば、ＴＤＭＡアクセスを調整する方法は、以下の特徴のうちの１つ又は複数を含む：
‐前記方法は、
前記マスタ光ネットワークユニットから他の前記光ラインターミナルに、前記対応するマスタ光ラインターミナルに関連する同期情報を含むエコーされたパケットを送信するステップの後に、
各前記スレーブ光ラインターミナルに関して、以下のことから成る複数のステップ、すなわち、
前記スレーブ光ラインターミナルのクロックによって提供されるそれぞれの傍受ローカル時刻ｔ３において、前記対応するマスタに関連する前記同期情報を含む前記エコーされた同期メッセージを傍受すること、及び
現在のそれぞれの前記傍受ローカル時刻ｔ３を、前記同期情報から導出される同期時刻と現在の前記ローカル時刻ｔ３との間の時間差によって変換することであって、それによって、前記スレーブ光ラインターミナルそれぞれの新たなローカル時刻を取得し、それによって、新たな変換された前記ローカル時刻の所与の時刻にアップリンクで傍受される全てのメッセージは、前記マスタ光ラインターミナルの前記クロックによっても同時刻に見ることができる、変換すること、
から成る複数のステップを含む；
‐前記方法は、前記マスタ光ネットワークユニットレベルにおいて、前記マスタ光ラインターミナルと前記マスタ光ネットワークユニットとの間の伝播ラウンドトリップ時間を計算することによって、前記マスタ光ラインターミナルに対し前記マスタ光ネットワークユニットをレンジングすることからなるステップを含み、
前記マスタ光ネットワークユニットのレンジングは、前記同期情報を送信するステップの前に実行され、
前記対応するマスタ光ラインターミナルに関連する前記同期情報は、
レンジングパケットを送信する、前記マスタ光ラインターミナルに関連する前記ローカル時刻情報ｔ０ｂｉｓと、
前記計算されたレンジングデータと
を含む；
‐前記同期時刻は、
レンジングパケットを送信する、前記マスタ光ラインターミナルに関連する前記ローカル時刻情報ｔ０ｂｉｓと、
前記計算されたレンジングデータと
の和である；
‐前記マスタ光ラインターミナルに対し前記マスタ光ネットワークユニットをレンジングするステップは、以下のことからなる複数のステップ、すなわち、
前記マスタ光ラインターミナルから、前記マスタＯＬＴに関連するローカル時刻ｔ０において、前記ローカル時刻情報ｔ０を含むエコーレンジングメッセージを送信すること、
前記マスタ光ネットワークユニットによってｔ０を含む前記レンジングメッセージが受信されると、前記マスタ光ネットワークユニットのクロックをｔ０にセットすることによって前記クロックを同期された時刻に同期すること、
前記マスタ光ネットワークユニットクロックの前記同期された時刻を基準として時刻ｔ１において、前記マスタ光ネットワークユニットから、前記同期されたローカル時刻情報ｔ１を含むレンジングメッセージを送信すること、及び
前記マスタ光ラインターミナルによって、マスタ光ラインターミナルに関連するローカル時刻ｔ２において、前記時刻情報ｔ１を含む前記レンジングメッセージが受信されると、前記マスタ光ラインターミナルと前記マスタ光ネットワークユニットとの間の前記伝播ラウンドトリップ時間を、ｔ２とｔ１との差として計算すること
から成る複数のステップを含む；
‐エコーされたメッセージを前記マスタ光ネットワークユニットから送信するステップ中の前記ステップにおいて、前記エコーされた同期メッセージは、前記マスタ光ラインターミナルに関連付けられ前記マスタ光ラインターミナルによってレンジングされる前記光ネットワークユニットに関連する情報をさらに含むことを特徴とし、且つ、
前記方法は、前記スレーブ光ラインターミナルが、マスタＯＬＴに関連付けられる光ネットワークユニットからの現在の伝送資源値を複製することから成るステップを含む；
‐全ての前記光ラインターミナルの前記クロックの変換の後に、
各前記スレーブ光ラインターミナルに関して、対応する前記スレーブ光ラインターミナルに対するそれぞれの関連付けられるスレーブ光ネットワークユニットを、各前記スレーブ光ネットワークユニットに関する全ての伝送パラメータを用いて発見することから成るステップを含む；および
‐前記対応するスレーブ光ラインターミナルに関連付けられる前記スレーブ光ネットワークユニットを発見するステップは、以下のことから成る複数のステップ、すなわち、
前記スレーブ光ラインターミナルが、前記マスタ光ラインターミナルと同時に、全ての関連付けられるスレーブ光ネットワークユニットに対し、前記スレーブ光ラインターミナルの識別子を含む発見要求メッセージを送信すること、並びに
前記スレーブ光ラインターミナルに対し、各前記スレーブ光ネットワークユニットをレンジングすること
から成る複数のステップを含むことを特徴し、
前記レンジングすることは、
前記スレーブ光ラインターミナルから、前記マスタＯＬＴに関連するローカル時刻ｔｓ０において、前記ローカル時刻情報ｔｓ０を含むレンジングメッセージを送信すること、
前記スレーブ光ネットワークユニットによってｔｓ０を含む前記レンジングメッセージが受信されると、前記スレーブ光ネットワークユニットのクロックをｔｓ０にセットすることによって前記クロックを同期された時刻に同期すること、
前記スレーブ光ネットワークユニットから、前記スレーブ光ネットワークユニットクロックの前記同期された時刻を基準として時刻ｔｓ１において、前記同期されたローカル時刻情報ｔｓ１及び前記スレーブ光ラインターミナルの識別子を含むレンジングメッセージを送信すること、及び
前記対応するスレーブ光ラインターミナルによって前記マスタ光ラインターミナルに関連するローカル時刻ｔｓ２において前記時刻情報ｔｓ１を含む前記レンジングメッセージが受信されると、前記スレーブ光ラインターミナルと前記スレーブ光ネットワークユニットとの間の伝播ラウンドトリップ時間を、ｔｓ２とｔ１との差として計算すること、
によって行われる。
【００２０】
本発明はまた、アップリンクＴＤＭＡアクセスの調整方法が実施されるパッシブ光ネットワークに関し、パッシブ光ネットワーク（ＰＯＮ）は少なくとも２つのサブネットワークを含み、
第１の前記サブネットワークは、
第１の光ラインターミナルと、
同じスプリッタを通じて前記第１の光ラインターミナルに接続される複数の光ネットワークユニットから成る第１のセットと
を備え、
第２のサブネットワークは、
第２の光ラインターミナルと、
前記第１のサブネットワークによって使用されるのと同じ前記スプリッタを通じて前記第２の光ラインターミナルに接続される光ネットワークユニットから成る第２のセットと
を備え、
前記第１のサブネットワークに属する各前記光ネットワークユニットは、ダウンリンクにおいて同じ第１の波長を共有し、
前記第２のサブネットワークに属する各前記光ネットワークユニットは、ダウンリンクにおいて同じ第２の波長を共有し、
前記第１の波長及び前記第２の波長は異なり、
前記第１のサブネットワーク及び前記第２のサブネットワークの双方に属する各前記光ネットワークユニットは、ダウンリンク方向において使用される同じアップリンク波長を共有し、前記アップリンク波長は前記第１の波長及び前記第２の波長とは異なり、
前記第１の光ラインターミナルは、第１の動的伝送資源割当てユニットを有し、
前記第１の動的伝送資源割当てユニットは、前記第１のセットの対応する前記光ネットワークユニットによって使用される、ＴＤＭＡアップリンクアクセスのための伝送資源を割り当てることができ、
前記第１の光ラインターミナルは、マルチポイント制御ユニットを有し、
前記マルチポイント制御ユニットは、
前記割り当てられた伝送資源に従って、及び
前記第１の光ラインターミナルと前記第１のセットの前記対応する光ネットワークユニットとの間の計算されたラウンドトリップ伝播遅延に従って、
前記対応する光ネットワークユニットによって使用されるスロットのための前記ＴＤＭＡアップリンクにおける伝送時間を規定することができ、
前記第２の光ラインターミナルは、第２の動的伝送資源割当てユニットを有し、
前記第２の動的伝送資源割当てユニットは、前記第２のセットの対応する前記光ネットワークユニットによって使用される、前記ＴＤＭＡアップリンクアクセスのための伝送資源を割り当てることができ、
前記第２の光ラインターミナルは、マルチポイント制御ユニットを有し、
前記マルチポイント制御ユニットは、
前記割り当てられた伝送資源に従って、及び
前記第２の光ラインターミナルと前記第２のセットの前記対応する光ネットワークユニットとの間の計算されたラウンドトリップ伝播遅延に従って、
前記対応する光ネットワークユニットによって使用される前記スロットのための前記ＴＤＭＡアップリンクにおける伝送時間を規定することができる
パッシブ光ネットワークにおいて、
各前記光ラインターミナルは、光ラインターミナル手段を備え、
前記光ラインターミナル手段は、第１に、全ての前記サブネットワークにわたって、全ての前記光ネットワークユニットの中から、１つのマスタ光ネットワークユニットを決定することができるマスタ光ラインターミナルとして、アップリンクＴＤＭＡアクセスを調整し、
前記マスタ光ネットワークユニットは、マスタ光ラインターミナルとして参照される対応する前記マスタ光ラインターミナルによって、最初にリスン及び宣言されるＯＮＵであり、
各前記光ネットワークユニットは、光ネットワークユニット手段を備え、
前記光ネットワークユニット手段は、第１に、前記マスタ光ラインターミナルに関連するローカル時刻ｔ０ｂｉｓにおいて、スレーブ光ラインターミナルとして参照される他の前記光ラインターミナルに、前記対応するマスタ光ラインターミナルに関連する同期情報を含むエコーされた同期メッセージを送信することができるマスタ光ネットワークユニットとして、アップリンクＴＤＭＡアクセスを調整し、
全ての前記動的伝送資源割当てユニットは同じ割当てプロセスを実行することができ、
全ての前記マルチポイント制御ユニットは同じ伝送時間規定プロセスを実行することができる。
【００２１】
特定の実施の形態によれば、システムは以下の特徴のうちの１つ又は複数を含む：
‐アップリンクＴＤＭＡアクセスを調整する各前記光ラインターミナル手段、
‐第２に、スレーブ光ラインターミナルに対して、
前記マスタ光ネットワークユニットから前記対応するマスタ光ラインターミナルに関連する同期情報を含むエコーされたパケットを受信した後に、
前記スレーブ光ラインターミナルのクロックによって提供されるそれぞれの傍受ローカル時刻ｔｓ３において、前記対応するマスタ光ラインターミナルに関連する前記同期情報を含む前記エコーされた同期メッセージを傍受することができ、かつ、
現在のそれぞれの前記傍受ローカル時刻ｔｓ３を、前記同期情報から導出される同期時刻と現在のローカル時刻ｔ３との間の時間差によって変換し、それによって、前記スレーブ光ラインターミナルそれぞれの新たなローカル時刻を取得することができ、それによって、新たな変換された前記ローカル時刻の所与の時刻にアップリンクで傍受される全てのメッセージを、前記マスタ光ラインターミナルの前記クロックによっても同時刻に見ることができるようになる。
【００２２】
例示としてのみ与えられ、図面を参照する以下の説明を読むことによって、本発明のさらなる理解が容易になるであろう。
【図面の簡単な説明】
【００２３】
【図１】本発明によるアップリンクを調整する方法が実施されるパッシブ光ネットワークのアーキテクチャの部分図である。
【図２】本発明による、図１のアーキテクチャにおいて実施されるアップリンクＴＤＭＡアクセスを調整する方法のフローチャートである。
【図３】図２に示す方法のレンジングステップ中の、マスタ光ラインターミナルとマスタ光ネットワークユニットとの間のシグナリング交換を表す時空間チャートの図である。
【図４】図２に示す方法のレンジングステップ中の、スレーブ光ラインターミナルとスレーブ光ネットワークユニットとの間のシグナリング交換を表す時空間チャートの図である。
【図５】図２の方法に従ってスレーブ光ラインターミナルをマスタ光ラインターミナルに同期させるための、マスタ光ラインターミナルと、マスタ光ネットワークユニットと、スレーブ光ネットワークユニットとの間のシグナリング交換を表す時空間チャートの図である。
【発明を実施するための形態】
【００２４】
図１によれば、パッシブ光ネットワークはＰＯＮとも呼ばれ、幾つかの光ラインターミナル４、６と、ひとつの同じスプリッタ１４を通じてそれらの光ラインターミナルに接続される幾つかの光ネットワークユニット８、１０、１２とから成るセット２を備える。
【００２５】
単純化するために、互いに接続される光ラインターミナル４、６及び光ネットワークユニット８、１０、１２の数は、それぞれ２及び３である。
【００２６】
セット２は、幾つかのサブネットワークに従って（ここでは２つのサブネットワーク１６及び１８に従って）配置され、一般的なサブネットワークは１つのみの単一の光ラインターミナルと、複数の光ネットワークユニットとを備える。
【００２７】
いかなる組み合わせの２つのサブネットワークにおいても、それらに含まれる２つの光ラインターミナルは互いに異なる。
【００２８】
図１の例において、第１のサブネットワーク１６は、第１の光ラインターミナル４（ＯＬＴ０と呼ばれ、図示されない光ファイバによって共有スプリッタ１４に接続される）と、光ネットワークユニット８及び１２（それぞれＯＮＵ０及びＯＮＵ２と呼ばれ、それぞれ異なる図示されない光ファイバによって共有スプリッタ１４に接続される）から成る第１のセットとを備える。
【００２９】
第２のサブネットワーク１８は、第２の光ラインターミナル６（ＯＬＴ１と呼ばれ、図示されない光ファイバによって共有スプリッタ１４に接続される）と、単一の光ネットワークユニット１０（ＯＮＵ１とも呼ばれ、図示されないそれぞれの光ファイバを通じて共有スプリッタ１４に接続される）から成る第２のセットとを備える。
【００３０】
各サブネットワークに関して、同じサブネットワークに属する光ネットワークユニットは、一つの同じ固有のファイバ（このファイバは、同じサブネットワークにそれぞれ関連付けられる光ラインターミナルをスプリッタ１４に接続する）を共有する。
【００３１】
各サブネットワーク１６、１８の光ネットワークユニットは、異なるそれぞれの専用ファイバを通じて同じ光スプリッタ１４に接続される。
【００３２】
第１のサブネットワーク１６に属する各光ネットワークユニット８、１２は、実線で示される第１のダウンリンクにおいて同じ第１の波長λ１を共有する。第１のダウンリンクは、それぞれＯＮＵ０に対する連続した２つの基本ダウンリンク２２、２４（ＯＬＴ０からスプリッタ１４へ、及びスプリッタ１４からＯＮＵ０へ）と、それぞれＯＮＵ２に対する連続した２つのダウンリンク２２、２６（ＯＬＴ０からスプリッタ１４へ、及びスプリッタ１４からＯＮＵ２へ）とを含む。
【００３３】
第２のサブネットワーク１８に属する光ネットワークユニット１０は、点線で示される第２のダウンリンクにおいて、単独で、一つの同じ第２の波長λ２を共有する。ここで第２のダウンリンクは、それぞれＯＮＵ１に対する連続した２つの基本ダウンリンク３２、３４（ＯＬＴ１からスプリッタ１４へ、及びスプリッタ１４からＯＮＵ１へ）を含む。
【００３４】
同じファイバ内で使用される第１の波長λ１及び第２の波長λ２は異なる。
【００３５】
第１のサブネットワーク１６及び第２のサブネットワーク１８の双方に属する各光ネットワークユニット８、１０、１２は、アップリンクにおいて同じアップリンク波長λ３を共有する。該アップリンクは、ＯＮＵ０からスプリッタ１４を通じてＯＬＴ０への連続した２つのアップリンク４２、４４と、ＯＮＵ１からスプリッタ１４を通じてＯＬＴ０への連続した２つのアップリンク４６、４４と、ＯＮＵ２からスプリッタ１４を通じてＯＬＴ０への連続した２つのアップリンク４８、４４と、ＯＮＵ０からスプリッタ１４を通じてＯＬＴ１への連続した２つのアップリンク４２、５０と、ＯＮＵ１からスプリッタ１４を通じてＯＬＴ１への連続した２つのアップリンク４６、５０と、ＯＮＵ２からスプリッタ１４を通じてＯＬＴ１への連続した２つのアップリンク４８、５０とを含む。
【００３６】
アップリンク波長λ３は、ダウンリンクにおいて使用される第１の波長λ１及び第２の波長λ２とは異なる。
【００３７】
図１のパッシブ光ネットワークアーキテクチャにおいて、同じサブネットワークの光ネットワークユニットが、ＯＬＴアップリンク（スプリッタ１４から対応する光ラインターミナルへ）及び光ラインターミナルダウンリンク（対応する光ラインターミナルからスプリッタ１４へ）の両方について共有するファイバは１本のみである。このため、２つの固有のレーザ波長（第１のサブネットワーク１６のためにλ１及びλ３、並びに第１のサブネットワーク１８のためにλ２及びλ３）を使用することによって、アップリンクデータ及びダウウンリンクデータが衝突せず、さらには同時に送信される。
【００３８】
そのようなダウンリンク／アップリンクアクセス方式は、波長複信接続と呼ばれる。
【００３９】
アップリンクに関して波長λ３は同じであるため、全てのサブネットワーク１６、１８からの光ラインターミナルは、全ての光ネットワークユニットからの全ての送信パケットをリスン(listen to)することができる。
【００４０】
したがって、所与の光ラインターミナル、たとえばＯＬＴ０は、ＯＬＴ０自身のサブネットワーク１６に属する全ての光ネットワークユニット８及び１２をリスンすることができるが、他のサブネットワーク（ここでは第２のサブネットワーク１８）に属する残りの光ネットワークユニット（ここでは光ネットワークユニット１０）をリスンすることもできる。
【００４１】
アップリンク方向において、各光ネットワークユニットに対し、タイムスロットが反復的に割り当てられる。
【００４２】
複数のタイムスロットが、衝突し得る同時送信を避けるような方法で、１つのフレームに構成される。ユーザ端末からＯＬＴへのこのようなアップリンクアクセス方式は、時分割多元接続（ＴＤＭＡ）と呼ばれる。
【００４３】
幾つかの光波長λ１及びλ２をダウンリンクのために同じファイバ内で使用することが可能であるので、同じスプリッタ１４に接続される２つの異なる光ラインターミナル（ここではＯＬＴ０及びＯＬＴ１）は、異なるデータを、パケット衝突のリスクを一切伴うことなく、それぞれの光ネットワークユニットのセット（第１のセットの光ネットワークユニット８、１２、及び第２のセットの光ネットワークユニット１０）に同時に送信することが可能になる。
【００４４】
そのようなダウンリンクアクセス方式は、それぞれサブネットワーク１４及び１６に対する波長多元接続（wavelength multiple access）である。
【００４５】
第１の光ラインターミナル４  ＯＬＴ０は第１の動的伝送資源割当てユニット６２を備え、第２の光ラインターミナル６  ＯＬＴ１は第２の動的伝送資源割当てユニット６２を備える。各動的伝送資源割当てユニット６２はＤＢＡユニット（動的帯域幅割当てユニット）とも呼ばれ、それぞれ対応する第１のセットの光ネットワークユニット８及び１２並びに第２のセットの光ネットワークユニット１０によってＴＤＭＡアップリンクアクセスのために使用されるべき伝送資源を割り当てることができる。
【００４６】
第１の光ラインターミナル４  ＯＬＴ０は第１のマルチポイント制御ユニットを備え、第２の光ラインターミナル６  ＯＬＴ１は第２のマルチポイント制御ユニット６４を備える。第１のマルチポイントユニットは、割り当てられた伝送資源に従って、かつ、第１のＯＬＴ０と対応する第１のセットの光ネットワークユニット８、１２との間の計算されたラウンドトリップ伝播遅延に従って、該対応する第１のセットの光ネットワークユニット８、１２が使用すべきスロットのためのＴＤＭＡアップリンクにおける伝送時間を規定することができる。第２のマルチポイントユニットは、割り当てられた伝送資源に従って、かつ、第２の光ラインターミナルＯＬＴ１と対応する第２のセットの光ネットワークユニット１０との間の計算されたラウンドトリップ伝播遅延に従って、該対応する第２のセットの光ネットワークユニット１０が使用すべきスロットのためのＴＤＭＡアップリンクにおける伝送時間を規定することができる。
【００４７】
２つの動的伝送資源割り当てユニット６２、６２は、同じＤＢＡアルゴリズムに従って同じ割当てプロセスを実行することができる。
【００４８】
２つのマルチポイント制御ユニット６４は、ＭＰＣＰユニット（マルチポイント制御ポイントユニット）とも呼ばれ、同じＭＰＣＰアルゴリズムに従ってパケット伝送時間に関連する同じ規定プロセスを実行することができる。
【００４９】
各ＯＬＴ４、６は、アップリンクＴＤＭＡアクセスを調整する光ラインターミナル手段６６を備える。光ラインターミナル手段６６は、第１に、発見する光ラインターミナル(discovering Optical Line Terminal)として、全てのサブネットワーク１６、１８にわたって、全ての光ネットワークユニットの中から、対応する光ラインターミナル（マスタ光ラインターミナルとして参照される）によって最初に登録及び宣言される光ネットワークユニットとして、マスタ光ネットワークユニットを決定することができ、第２に、マスタ光ラインターミナルとして調整プロセスを管理することができ、第３に、スレーブ光ラインターミナルとして調整プロセスを管理することができる。
【００５０】
各光ネットワークユニット８、１０、１２は、マスタ光ネットワークユニットとしてアップリンクＴＤＭＡアクセスを調整するための光ネットワークユニット手段６８を備える。光ネットワークユニット手段６８は、マスタ光ラインターミナルに関連する所与のローカル時刻において、他の光ラインターミナル（スレーブ光ラインターミナルとして参照される）に、対応するマスタ光ラインターミナルに関連する同期情報を含むエコーされた同期メッセージを送信することができる。
【００５１】
各光ラインターミナル４、６の光ラインターミナル手段６６は、同じアルゴリズムに従ってアップリンクＴＤＭＡアクセスを調整するための、同じ光ラインターミナルプロセスを有する。
【００５２】
各光ネットワークユニット８、１０、１２の光ネットワークユニット手段６８は、同じアルゴリズムに従ってアップリンクＴＤＭＡアクセスを調整するための同じ光ネットワークユニットプロセスを有する。
【００５３】
図２によれば、パッシブ光ネットワークの少なくとも２つのサブネットワークによって共有されるアップリンクＴＤＭＡアクセスを調整する方法１００は、１組の連続するステップ１０２、１０４、１０６、１０８、１１０、１１２、１１４、１１６、１１８、１２０、１２２を含む。
【００５４】
第１のステップ１０２において、ＯＬＴ０及びＯＬＴ１のうちの各光ラインターミナルは、全てのサブネットワーク１６及び１８の全ての光ネットワークユニット８、１０、１２から送信されたアップリンクシグナリングデータをリスンする。
【００５５】
第２のステップ１０４において、少なくとも２つの光ラインターミナル、ＯＬＴ０及びＯＬＴ１がスプリッタ１４に接続され、電源をオンにされて稼働しており、マスタ光ネットワークユニットが決定される。決定されたマスタ光ネットワークユニットがＯＮＵ０であると仮定する。
【００５６】
既になんらかの調整済みアップストリームトラフィックが流れている場合、決定されたマスタ光ネットワークユニットは既に存在する。
【００５７】
調整済みアップストリームトラフィックが一切検出されない場合、ＯＬＴ０及びＯＬＴ１は１つの光ネットワークユニットが正しく応答するまで発見メッセージを送信する。
【００５８】
異なる光ネットワークユニットから発行された複数の応答間で衝突が発生している場合、１つの光ネットワークユニットが正しく応答するまで、ＣＳＭＡ／ＣＤ（キャリア検知多元接続／衝突検出）において使用される従来の再試行手法が使用される。
【００５９】
リスンしている光ラインターミナルのサブネットワークに属する正しい光ネットワークユニット（たとえばＯＮＵ０）が検出されると、検出されたＯＮＵは、ＯＬＴ０によってマスタ光ネットワークユニットであると宣言される。
【００６０】
後続のステップ１０６において、光ラインターミナルＯＬＴ０は、宣言メッセージをマスタＯＮＵ０及び同じサブネットワーク１６に属する他の光ネットワークユニットに送信し、ＯＮＵ０がマスタ光ネットワークユニットであること、及びＯＬＴ０がマスタ光ラインターミナルであることを示す。
【００６１】
このステップ１０６において、ＯＬＴ０はＯＮＵ０に対し、それがマスタ光ネットワークユニットになることを承認するように要求する。
【００６２】
このステップ１０６において、マスタ光ネットワークユニットＯＮＵ０は、全ての光ラインターミナルにアップリンクメッセージを送信し、ＯＮＵ０がマスタ光ネットワークユニットであること、及びＯＬＴ０がマスタ光ラインターミナルであることを宣言する。このステップ１０６以降、全ての新たに発見される光ネットワークユニットは、マスタ光ラインターミナル及びスレーブ光ラインターミナルを含む全ての光ラインターミナルによって実行される処理への考慮に入れられる。
【００６３】
次にステップ１０８において、マスタ光ラインターミナルＯＬＴ０に対するマスタ光ネットワークユニットＯＮＵ０のレンジングを実行する。これは、マスタ光ラインターミナルＯＬＴ０レベルにおいて、マスタ光ラインターミナルＯＬＴ０とマスタ光ネットワークユニットＯＮＵ０との間の伝播ラウンドトリップ時間ＲＴＴ０を、ＯＬＴ０からＯＮＵ０への順方向及びＯＮＵ０からＯＬＴ０への戻り方向において計算することによってなされる。
【００６４】
可能である場合、ＯＮＵ０と同じサブネットワーク１６に属する他の光ネットワークユニットのレンジングがＯＬＴ０によって実行される。
【００６５】
後続のステップ１１０において、マスタ光ラインターミナルＯＬＴ０はマスタ光ネットワークユニットＯＮＵ０に定期的にエコー同期メッセージを送信する。
【００６６】
エコー同期メッセージは、マスタ光ラインターミナルＯＬＴ０に関連する同期情報を含む。同期情報は、エコー同期メッセージを送信する、ＯＬＴ０に関連するローカル時刻ｔ０ｂｉｓを含み、また、同期情報は、マスタ光ラインターミナルＯＬＴ０とマスタ光ネットワークユニットＯＮＵ０との間の計算された伝播ラウンドトリップ時間ＲＴＴ０を含む。
【００６７】
エコー同期メッセージは、場合によっては、光ネットワークユニット（マスタＯＬＴ０に関連付けられ、マスタＯＬＴ０によってレンジングされるもの）に関連する情報をさらに含む場合がある。
【００６８】
次に、ステップ１１２において、マスタ光ネットワークユニットＯＮＵ０は、ＯＬＴ０から発行されるエコー同期メッセージを受信すると、他の光ラインターミナル（スレーブ光ラインターミナルと呼ばれる。ここではＯＬＴ１）に、マスタ光ラインターミナルＯＬＴ０に関連する同期情報を含むエコーされた同期メッセージを送信する。
【００６９】
後続のステップ１１４において、各スレーブ光ラインターミナルは、該スレーブ光ラインターミナルのクロックによって提供されるそれぞれの傍受ローカル時刻(interception local time)ｔ３において、マスタ光ラインターミナルＯＬＴ０に関連する同期情報を含むエコーされた同期メッセージを傍受する(intercept)。ここで、単純化するために、ＯＬＴ１は唯一のスレーブ光ラインターミナルである。
【００７０】
次にステップ１１６において、各スレーブ光ラインターミナル（ここではＯＬＴ１のみ）のクロックは、現在の傍受ローカル時刻ｔ３を、同期情報から導出される同期時刻と現在のローカル時刻ｔ３との間の時間差によって変換して、ＯＬＴ１に関連する新たなスレーブローカル時刻を取得する。これによって、ＯＬＴ１の新たな変換されたローカル時刻の所与の時刻においてアップリンクで傍受される全てのメッセージは、マスタ光ラインターミナルＯＬＴ０のクロックによっても同時刻に見ることができるようになる。
【００７１】
同期時刻は、エコー同期メッセージを送信する、マスタＯＬＴ０に関連するローカル時刻情報ｔ０ｂｉｓと、計算されたレンジングデータＲＴＴ０との和である。
【００７２】
一変形形態において、同期メッセージは、エコー同期メッセージを送信する、マスタＯＬＴ０に関連するローカル時刻情報ｔ０ｂｉｓと、計算されたレンジングデータＲＴＴ０との計算された和を含む。この変形形態において、同期時刻はスレーブＯＬＴによって同期メッセージから直接読み取られる。
【００７３】
後続のステップ１１８において、スレーブ光ラインターミナル、ここではＯＬＴ１は、現在ＯＬＴ０及びＯＮＵ０がわかっている、マスタＯＬＴ０に関連付けられると共に該マスタＯＬＴ０によってレンジングされる光ネットワークユニットの伝送資源を複製することができる。
【００７４】
次にステップ１２０において、各スレーブ光ラインターミナル（ここではＯＬＴ１のみ）は、自身に関連付けられるスレーブ光ネットワークユニット（ここでは同じサブネットワーク１８に属するＯＮＵ１）を、各スレーブ光ネットワークユニットに関する全ての伝送パラメータを用いて発見する。
【００７５】
マスタ光ネットワークユニットＯＮＵ０をマスタ光ラインターミナルＯＬＴ０に対してレンジングするステップ１０８は、１組の連続するステップ１２４、１２６、１２８、１３０を含む。より良い理解のために、ＯＬＴ０及びＯＮＵ０によって交換されるレンジングメッセージの時間的変位を図３において示している。
【００７６】
ステップ１２４において、マスタ光ラインターミナルＯＬＴ０はＯＬＴ０のクロックに関連するローカル時刻ｔ０においてレンジングメッセージを送信する。ｔ０において送信されるレンジングメッセージはローカル時刻情報ｔ０を含む。
【００７７】
ステップ１２６において、マスタ光ネットワークユニットＯＮＵ０によってｔ０を含むレンジングメッセージが受信されると、マスタ光ネットワークユニットＯＮＵ０のクロックをｔ０にセットすることによってＯＮＵ０のクロックを同期する。
【００７８】
次にステップ１２８において、マスタ光ネットワークユニットＯＮＵ０は、時刻ｔ１（マスタＯＮＵ０クロックの同期された時刻に関する）においてレンジングメッセージを送信する。レンジングメッセージは、同期されたローカル時刻情報ｔ１を含む。時刻ｔ１は、ｔ０と、ＴONUで表される未知の処理時間との和である。
【００７９】
次にステップ１３０において、マスタ光ラインターミナルＯＬＴ０は、ＯＬＴ０クロックのローカル時刻ｔ２において、時刻情報ｔ１を含むレンジングメッセージを受信し、次に、マスタ光ラインターミナルとマスタ光ネットワークユニットＯＮＵ０との間の伝播ラウンドトリップ時間ＲＴＴ０を、ｔ２とｔ１との差として計算する。
【００８０】
ｔ２−ｔ１＝ｔ２−（ｔ０＋ＴONU）＝（ｔ２−ｔ０）−ＴONU＝ＲＴＴ０＋ＴONU−ＴONU＝ＲＴＴ０
であることは明らかである。
【００８１】
このレンジングプロセスは、図３においてδ１によって表される順方向伝播遅延及びδ１によって表される戻り伝播遅延の知識に関わらず、また、ＴONUで表される未知の処理時間に関わらず、実行することができることに留意されたい。
【００８２】
各スレーブ光ラインターミナル（ここではＯＬＴ１のみ）が、自身に関連付けられるスレーブ光ネットワークユニット（ここでは同じサブネットワーク１８に属するＯＮＵ１）を、各スレーブ光ネットワークユニットに関する全ての伝送パラメータを用いて発見するステップ１２０は、各スレーブＯＬＴが、それぞれに関連付けられるＯＮＵの全ての伝送パラメータを知るために発見要求メッセージを送信するステップ１４２と、各スレーブＯＬＴが全ての対応するスレーブ光ネットワークユニットをレンジングするステップ１４４とを含む。ここでは、ＯＮＵ１のみがスレーブ光ラインターミナルＯＬＴ１によって発見される。
【００８３】
スレーブ光ネットワークユニットをレンジングするステップ１４４は１組の連続するステップ１４６、１４８、１５０、１５２を含む。より良い理解のために、スレーブ光ラインターミナル及びスレーブ光ネットワークユニットによって交換されるレンジングメッセージの時間的変位を図４において示している。
【００８４】
ステップ１４６において、スレーブ光ラインターミナルＯＬＴ１は、ＯＬＴ１のクロックに関連するローカル時刻のｔ０ｓにおいてレンジングメッセージを送信する。ｔ０ｓにおいて送信されるレンジングメッセージはローカル時刻情報ｔ０ｓを含む。
【００８５】
ステップ１４８において、スレーブ光ネットワークユニットＯＮＵ１によってｔ０ｓを含むレンジングメッセージが受信されると、スレーブ光ネットワークユニットＯＮＵ１のクロックをｔ０ｓにセットすることによってＯＮＵ１のクロックが同期される。
【００８６】
次にステップ１５０において、スレーブ光ネットワークユニットＯＮＵ１は、時刻ｔ１ｓ（スレーブＯＮＵ１クロックの同期された時刻に関する）において、同期されたローカル時刻情報ｔ１ｓを含むレンジングメッセージを送信する。時刻ｔ１ｓはｔ０ｓと、ＴｓONUで表される未知の処理時間との和である。
【００８７】
次にステップ１５２において、スレーブ光ラインターミナルＯＬＴ１はＯＬＴ１クロックのローカル時刻ｔ２ｓにおいて、時刻情報ｔ１ｓを含むレンジングメッセージを受信すると、スレーブ光ラインターミナルＯＬＴ１とスレーブ光ネットワークユニットＯＮＵ１との間の伝播ラウンドトリップ時間ＲＴＴ１を、ｔ２ｓとｔ１ｓとの差として計算する。
【００８８】
ｔ２ｓ−ｔ１ｓ＝ｔ２ｓ−（ｔ０ｓ＋ＴｓONU）＝（ｔ２ｓ−ｔ０ｓ）−ＴｓONU＝ＲＴＴ１＋ＴONU−ＴONU
であり、これによって
ｔ２ｓ−ｔ１ｓ＝ＲＴＴ１
となることは明らかである。
【００８９】
図５において、ステップ１００及び１１２に関する傍受ステップ１１４及びクロック変換ステップ１１６の実行時刻に関する説明を提供する。
【００９０】
図５には、マスタ光ネットワークユニットＯＮＵ０からスレーブ光ネットワークユニットＯＬＴ１への伝播遅延が、マスタ光ネットワークユニットＯＮＵ０からマスタ光ネットワークユニットＯＬＴ０への伝播遅延より小さい例を示す。ステップ１１６において実行されるスレーブＯＬＴの時刻変換は代数演算であるため、マスタ光ネットワークユニットＯＮＵ０からスレーブ光ネットワークユニットＯＬＴ１への伝播遅延が、マスタ光ネットワークユニットＯＮＵ０からマスタ光ラインターミナルＯＬＴ０への伝播遅延より大きい場合も、スレーブＯＬＴクロックのマスタＯＬＴクロックへの同期プロセスは良好に動作する。
【００９１】
ＯＬＴ１においてクロック変換が実行されると、ＯＬＴ１レベルでのアップリンクにおける、いかなる光ネットワークユニットからのいかなる所与のパケットの受信も、その光ネットワークユニットがＯＬＴ０のサブネットワーク１８に属しＯＬＴ０クロックに同期されるものであれば、ＯＬＴ０及びＯＬＴ１によって同時刻に見ることができる。
【００９２】
ＯＬＴ１においてクロック変換が実行されると、ＯＬＴ１レベルでのアップリンクにおける、いかなる光ネットワークユニットから送信されるいかなる所与のパケットの受信もまた、その光ネットワークユニットがＯＬＴ１のサブネットワーク１８に属しレンジングプロセス中にＯＬＴ１クロックに同期されるものであれば、ＯＬＴ０及びＯＬＴ１によって同時刻に見ることができる。
【００９３】
クロック変換がＯＬＴ１において実行され、且つＯＬＴ１とは異なる任意のスレーブ光ラインターミナルにおいても実行されると、ＯＬＴ１レベルでのアップリンクにおける、いかなる光ネットワークユニットから送信されるいかなる所与のパケットの受信もまた、（その光ネットワークユニットがＯＬＴ１と異なるスレーブ光ラインターミナルに対応する任意のサブネットワークに属しており、かつその光ネトワークユニットがレンジングプロセス中にこの異なるスレーブ光ラインターミナルのクロックに同期されるものであれば）ＯＬＴ０及びＯＬＴ１、並びにその異なる光ラインターミナルによって同時刻に見ることができる。
【００９４】
したがって、いかなる光ラインターミナルのレベルにおいて受信されるパケットから成るアップリンクＴＤＭＡフレームも、スプリッタ１４と光ラインターミナルとの間に接続されるファイバ内で何が発生しようと、パケット衝突が一切ない。
【００９５】
マスタ光ラインターミナルＯＬＴ０によって、これに対応する光ネットワークユニットについて計算されるラウンドトリップ時間は、スレーブＯＬＴ１のマルチポイント制御ユニットについては正確でないことに留意されたい。ＯＬＴ０によって計算されると共にＯＮＵ０から再送信されるこれらのラウンドトリップ時間は、ＯＬＴ１によって読取られる可能性があるが、無視されるであろう。ＯＬＴ１は、マスタＯＬＴ０及び他のスレーブ光ラインターミナルから、有用なデータを送信する全ての光ネットワークユニットによって使用される伝送資源に関する現在の状態に関してのみ知る必要があり、ＯＬＴ１にとって、ＯＬＴ０サブネットワークに関連するラウンドトリップ時間は有用でない。
【００９６】
全ての光ラインターミナル（ここではＯＬＴ０及びＯＬＴ１）から、全ての動的伝送資源割当てユニットの現在の状態に関連するデータのみを知る必要がある。これは、動的伝送資源ユニット６６が同じ方法で挙動し、アップリンクを通じて同じデータを受信するため、効果的である。
【００９７】
このため、各光ラインターミナルによってアップリンクＴＤＭＡアクセスにおいて割り当てられるスロットの構成は同じであり、同じ方法で更新される。
【００９８】
光ネットワークユニットが関連付けられる１つの同じサブネットワークに属する全ての光ネットワークユニットについて、光ラインターミナルによって計算されるラウンドトリップ時間は、上記サブネットワークを管轄する光ラインターミナルにとってのみ意味があり、必要とされる。
【００９９】
これより、調整されたアップリンクＴＤＭＡアクセスのリカバリの幾つかのシナリオを説明する。
【０１００】
スプリッタと１つの光ラインターミナルとの間のファイバに何らかの劣化が生じる場合、接続される光ラインターミナルは他の光ラインターミナルと同じ入力データを取得しない場合がある。アップリンクＴＤＭＡアクセスを決定するための計算が異なることになり、パケット衝突が発生することになる。
【０１０１】
各サイクルにおいて、光ラインターミナルが、全ての光ネットワークユニットからの全ての回答を取得しているか否か、及び、応答が正しいか否かをチェックするメカニズムが実施される。
【０１０２】
そうでない場合、光ラインターミナルは自身の光ネットワークユニットに空の割当てスロットを発行する。これは、伝送資源が使用されないことを意味する。
【０１０３】
この状況が持続する場合、ケースシナリオに従って、何らかの他のメカニズムがこの問題を管理する。
【０１０４】
第１のケースでは、マスタ光ラインターミナルが、同じサブネットワークに属する複数の光ネットワークユニットに依然として接続されており、かつ正しく動作していると仮定して、マスタ光ネットワークユニットが除去される。このケースでは、マスタ光ラインターミナルによってレンジングプロセスが実行されており、光ネットワークユニットのリストが構築されている。このリストにおいて、光ネットワークユニットは、各光ネットワークユニットのレンジング成功の時刻順にランク付けされている。リスト内に登録されている１番目の光ネットワークユニットをマスタ光ネットワークユニットとして決定する。
【０１０５】
マスタ光ネットワークユニットの接続が切られるケースでは、１番目に登録されている光ネットワークユニットを除去し、依然として登録されている各光ネットワークユニットのランク順序を１ずつずらすことによって、リストが更新される。
【０１０６】
そのため、それまで２番目であった光ネットワークユニットは、１番目に登録されている光ネットワークユニットとなり、したがってマスタ光ネットワークユニットとして決定される。
【０１０７】
接続を切られた光ネットワークユニットは、再接続するときにリストの末尾に再度登録されることができる。
【０１０８】
第２のケースでは、マスタ光ラインターミナルがネットワークから除去される。通常動作下であれば、マスタ光ラインターミナルは定期的に要求メッセージを送信しており、マスタ光ネットワークユニットは定期的にエコーメッセージを送信している。
【０１０９】
マスタ光ラインターミナルを除去すると、同時に、全てのサブネットワークの全ての光ネットワークユニットが、マスタ光ラインターミナルが動作していないことを認識する。
【０１１０】
アップリンクＴＤＭＡフレームにおいてマスタ光ネットワークユニットに続く第１の光ネットワークユニットを、各動的伝送資源ユニット６２の同一のデータベースから知ることができる。
【０１１１】
このため、この第１の光ネットワークユニットに対応する光ラインターミナルは、自身がマスタ光ラインターミナルになることを知る。
【０１１２】
新たなマスタ光ラインターミナルは次に、全ての光ネットワークユニットに対して、自身がマスタ光ラインターミナルになるという宣言を送信し、また、第１の光ネットワークユニットに対して、新たなマスタ光ネットワークユニットになることの承認の要求を送信する。
【０１１３】
承認エコーが新たなマスタ光ネットワークユニットから送信されない場合、プロセスが再度実行される。
【０１１４】
第３のケースでは、全ての光ラインターミナル及び関連付けられるものが同時に電源をオフにされ、次に、これらの装置は再び同時に電源投入される。研究する最も簡単な構成は、複数の光ラインターミナル及び２つの光ネットワークユニットが２つのサブネットワーク内に配置される構成である。
【０１１５】
電源をオンにすると、各光ラインターミナルはメッセージが送信されるか否かをリスン及びモニタリングする。
【０１１６】
メッセージが検出される場合、既に光ラインターミナルは動作している。
【０１１７】
メッセージが検出されない場合、補助ネットワークを通じて光ラインターミナル間に大まかな同期を確立するように要求することができる。
【０１１８】
次に、各光ラインターミナルが自身のレンジング要求を送信し、自身の対応する光ネットワークユニットとのレンジングプロセスを実行する。
【０１１９】
レンジングメッセージが衝突する場合、この問題を解決するために再試行プロセスが実行される。
【０１２０】
少なくとも１つの光ラインターミナルが、関連付けられる光ネットワークユニットのレンジングに成功すると、該光ラインターミナルは、自身がマスタ光ラインターミナルになったことを示す宣言メッセージと、レンジングが成功した最初の光ネットワークユニットに対する要求とを送信する。これは、該光ネットワークユニットが、この宣言を承認するマスタ光ネットワークユニットになるためである。
【０１２１】
異なる複数の光ラインターミナルによって幾つかの光ネットワークユニットがマスタを宣言される場合があるため、光ネットワークユニットのうち、対応する光ラインターミナルに宛てられるエコーメッセージがその光ラインターミナルによって最初に受信されたメッセージである、そのような光ネットワークユニットが、マスタ光ネットワークユニットとして宣言される。
【０１２２】
スプリッタ１４のレベルにおいて、全ての光ネットワークユニットからアップリンクで発行されるパケットを順序付けるボトルネックが存在することに留意されたい。したがって、アップリンク方向でスプリッタ１４の入力において衝突が発生しない場合、最初にエコーパケットを送信した光ネットワークユニットとして、１つの光ネットワークユニットのみが検出されることになる。
【０１２３】
スプリッタの入力において衝突が生じる場合、成功するまで決定プロセスが再度繰り返される。
【図１】
2010081593.tif 000003
【図２】
2010081593.tif 000004
【図３】
2010081593.tif 000005
【図４】
2010081593.tif 000006
【図５】
2010081593.tif 000007
【外国語明細書】
2010081593.tif 000008
2010081593.tif 000009
2010081593.tif 000010
2010081593.tif 000011
2010081593.tif 000012
2010081593.tif 000013
2010081593.tif 000014
2010081593.tif 000015
2010081593.tif 000016
2010081593.tif 000017
2010081593.tif 000018
2010081593.tif 000019
2010081593.tif 000020
2010081593.tif 000021
2010081593.tif 000022
2010081593.tif 000023
2010081593.tif 000024
2010081593.tif 000025
2010081593.tif 000026
2010081593.tif 000027
2010081593.tif 000028
2010081593.tif 000029
2010081593.tif 000030
2010081593.tif 000031
2010081593.tif 000032
2010081593.tif 000033
2010081593.tif 000034
2010081593.tif 000035
2010081593.tif 000036
2010081593.tif 000037
2010081593.tif 000038
2010081593.tif 000039
2010081593.tif 000040